(57)【特許請求の範囲】
【請求項１】
室外ユニット（20）と室内ユニット（30）が液側連絡配管（16）及びガス側連絡配管（17）により接続されて冷凍サイクルを行う空気調和装置の冷媒回路（15）に接続され、
一端が第１の上記液側連絡配管（16）を介して上記室外ユニット（20）に接続されて、他端が第２の上記液側連絡配管（16）を介して上記室内ユニット（30）に接続される連絡用配管部（57）と、
一端が上記連絡用配管部（57）に接続されて、他端が上記ガス側連絡配管（17）に接続される主配管部（56）と、
上記主配管部（56）に設けられて上記液側連絡配管（16）から供給された冷媒を膨張させる膨張機構（53）と、
上記膨張機構（53）を通過した冷媒と上記連絡用配管部（57）を流れる冷媒とを熱交換させる冷媒熱交換器（60）と、
上記主配管部（56）に設けられて上記冷媒熱交換器（60）を通過した冷媒を圧縮して上記ガス側連絡配管（17）へ吐出する補助用圧縮機（54）と、
上記主配管部（56）における上記冷媒熱交換器（60）と上記補助用圧縮機（54）の間に設けられた液冷媒を貯留可能な気液分離器（65）とを備え、
上記室内ユニット（30）で加熱した空気を室内へ供給する上記空気調和装置の暖房運転中に、上記冷媒熱交換器（60）と上記室内ユニット（30）の間で冷媒を循環させるために上記補助用圧縮機（54）を運転するように構成され、
上記室外ユニット（20）に設けられて冷媒を室外空気と熱交換させる室外熱交換器（24）を冷媒で加熱して除霜する上記空気調和装置の除霜動作中に、上記補助用圧縮機（54）から吐出された冷媒を上記室外ユニット（20）へ供給するために該補助用圧縮機（54）を運転するように構成されていることを特徴とする暖房用補助ユニット。
【請求項２】
請求項１において、
上記補助用圧縮機（54）の吸入側と吐出側を接続するバイパス通路（58）と、
上記バイパス通路（58）に設けられて上記補助用圧縮機（54）の吸入側から吐出側へ向かう冷媒の流通だけを許容する逆止弁（59）とを備え、
上記室内ユニット（30）で冷却した空気を室内へ供給する上記空気調和装置の冷房運転中に、補助用圧縮機（54）を停止させた状態で上記膨張機構（53）を通過した冷媒を上記冷媒熱交換器（60）へ供給し、該膨張機構（53）を通過した冷媒と上記液側連絡配管（16）を流れる冷媒とを熱交換させるように構成されている
ことを特徴とする暖房用補助ユニット。
【請求項３】
室外ユニット（20）と室内ユニット（30）が液側連絡配管（16）及びガス側連絡配管（17）により接続されて冷凍サイクルを行う冷媒回路（15）と、
上記冷媒回路（15）に接続された請求項１に記載の暖房用補助ユニットとを備え、
上記室内ユニット（30）で加熱した空気を室内へ供給する暖房運転を少なくとも行う
ことを特徴とする空気調和装置。
【発明の詳細な説明】
【技術分野】
【０００１】
本発明は、冷凍サイクルを行って室内を暖房する空気調和装置の暖房能力の向上策に関するものである。
【背景技術】
【０００２】
従来より、冷凍サイクルを行って室内の暖房を行う、いわゆるヒートポンプ式の空気調和装置が知られている。例えば、特許文献１には、いわゆるセパレート型の空気調和装置が開示されている。この空気調和装置では、室外ユニットと室内ユニットを液側およびガス側の連絡配管で接続することによって冷媒回路が形成され、冷媒回路で冷媒を循環させることによって冷凍サイクルが行われる。また、暖房運転中には、室外ユニットの圧縮機から吐出された高圧冷媒が室内ユニットへ供給され、この高圧冷媒によって室内空気が加熱される。
【０００３】
ところで、冬季の外気温が非常に低温（例えば−１０℃以下）になる寒冷地に上記の空気調和装置を設置した場合は、暖房運転中における冷媒の蒸発温度を外気温よりも低い値に設定する必要がある。このため、冷凍サイクルの高圧と低圧の差が大きくなり、一般的な単段圧縮サイクルでは充分な暖房能力を得られないおそれがある。
【０００４】
このような寒冷地に設置された場合でも充分な暖房能力を得るための方策としては、空気調和装置に二段圧縮冷凍サイクルを行わせることが考えられる。例えば、特許文献２には、二段圧縮冷凍サイクルを行う空気調和装置が開示されている。この空気調和装置では、低圧冷媒が低段側圧縮機と高段側圧縮機で順に圧縮されると共に、低段側圧縮機と高段側圧縮機の間に中間圧のガス冷媒が供給される。そして、二段圧縮冷凍サイクルを行う空気調和装置では、圧縮機での消費電力が抑えられると共に、冷媒回路における冷媒の循環量が確保されるので充分な暖房能力が得られる。
【特許文献１】特開２００３−２４０３６５号公報
【特許文献２】特開２００１−０５６１５７号公報
【発明の開示】
【発明が解決しようとする課題】
【０００５】
上述したように、二段圧縮冷凍サイクルを行う空気調和装置には、低段側圧縮機と高段側圧縮機の両方を設ける必要がある。一方、単段圧縮冷凍サイクルを行う空気調和装置には、冷媒を冷凍サイクルの低圧から高圧にまで圧縮する圧縮機が１つ設けられていればよい。つまり、二段圧縮冷凍サイクルを行う空気調和装置と、一般的な単段圧縮冷凍サイクルを行う空気調和装置とでは、圧縮機が設置される室外ユニットの構造が大幅に異なる。従って、二段圧縮冷凍サイクルを行うことによって暖房能力を増大させる場合には、大きな暖房能力が必要な用途向けの二段圧縮冷凍サイクルを行う空気調和装置を、平均的な暖房能力で足りる用途向けの単段圧縮冷凍サイクルを行う空気調和装置とは別個に設計しなければならなくなる。このため、大きな暖房能力が必要な用途向けの空気調和装置の設計や製造に要する時間や費用が嵩むという問題があった。
【０００６】
本発明は、かかる点に鑑みてなされたものであり、その目的は、大きな暖房能力が必要な用途向けの空気調和装置を、その設計や製造に要する時間や費用を低く抑えながら実現することにある。
【課題を解決するための手段】
【０００７】
第１の発明は、室外ユニット（20）と室内ユニット（30）が液側連絡配管（16）及びガス側連絡配管（17）により接続されて冷凍サイクルを行う空気調和装置の冷媒回路（15）に接続される暖房用補助ユニットを対象としている。そして、一端が第１の上記液側連絡配管（16）を介して上記室外ユニット（20）に接続されて、他端が第２の上記液側連絡配管（16）を介して上記室内ユニット（30）に接続される連絡用配管部（57）と、一端が上記連絡用配管部（57）に接続されて、他端が上記ガス側連絡配管（17）に接続される主配管部（56）と、上記主配管部（56）に設けられて上記液側連絡配管（16）から供給された冷媒を膨張させる膨張機構（53）と、上記膨張機構（53）を通過した冷媒と上記連絡用配管部（57）を流れる冷媒とを熱交換させる冷媒熱交換器（60）と、上記主配管部（56）に設けられて上記冷媒熱交換器（60）を通過した冷媒を圧縮して上記ガス側連絡配管（17）へ吐出する補助用圧縮機（54）とを備え、上記室内ユニット（30）で加熱した空気を室内へ供給する上記空気調和装置の暖房運転中に、上記冷媒熱交換器（60）と上記室内ユニット（30）の間で冷媒を循環させるために上記補助用圧縮機（54）を運転するように構成されるものである。
【０００８】
第１の発明の暖房用補助ユニット（50）は、空気調和装置（10）の冷媒回路（15）において、室内ユニット（30）と室外ユニット（20）の間に配置される。暖房運転中の冷媒回路（15）では、室内ユニット（30）と室外ユニット（20）の間で冷媒が循環する同時に、室内ユニット（30）と暖房用補助ユニット（50）の間でも冷媒が循環する。
【０００９】
具体的に、空気調和装置（10）の暖房運転中において、上記第１の発明の暖房用補助ユニット（50）の連絡用配管部（57）には、室内ユニット（30）から室外ユニット（20）へ向けて液側連絡配管（16）を流れる冷媒が流入する。連絡用配管部（57）を流れる冷媒の一部は、主配管部（56）へ流入する。主配管部（56）へ流入した冷媒は、膨張機構（53）を通過する際に減圧された後に冷媒熱交換器（60）へ流入する。冷媒熱交換器（60）では、膨張機構（53）を通過した冷媒が、連絡用配管部（57）を室外ユニット（20）へ向かって流れる冷媒から吸熱して蒸発する。冷媒熱交換器（60）で蒸発した冷媒は、補助用圧縮機（54）で圧縮された後にガス側連絡配管（17）へ吐出され、室外ユニット（20）からガス側連絡配管（17）へ送り込まれた冷媒と共に室内ユニット（30）へ送られる。暖房運転中の室内ユニット（30）では、送り込まれた冷媒が空気へ放熱する。
【００１０】
また、第１の発明は、上記の構成に加えて、液冷媒を貯留可能な気液分離器（65）が、上記主配管部（56）における上記冷媒熱交換器（60）と上記補助用圧縮機（54）の間に設けられるものである。
【００１１】
第１の発明では、暖房用補助ユニット（50）に気液分離器（65）が設けられる。膨張機構（53）と冷媒熱交換器（60）を順に通過した冷媒は、気液分離器（65）を通って補助用圧縮機（54）へ吸入される。ここで、膨張機構（53）を通過する冷媒の流量が多くなると、膨張機構（53）から冷媒熱交換器（60）へ送られた冷媒が、完全に蒸発しきらずに冷媒熱交換器（60）から流出する場合がある。この場合、冷媒熱交換器（60）から気液分離器（65）へ送られた気液二相状態の冷媒は、気液分離器（65）で液冷媒とガス冷媒に分離される。そして、ガス冷媒は気液分離器（65）から流出して補助用圧縮機（54）に吸入される一方、液冷媒は気液分離器（65）の内部に溜まり込む。気液分離器（65）に溜まり込む液冷媒の量を変更すると、冷媒回路（15）内を室内ユニット（30）と室外ユニット（20）の間で循環する冷媒の量が変化する。
【００１２】
また、第１の発明は、上記の構成に加えて、上記室外ユニット（20）に設けられて冷媒を室外空気と熱交換させる室外熱交換器（24）を冷媒で加熱して除霜する上記空気調和装置の除霜動作中に、上記補助用圧縮機（54）から吐出された冷媒を上記室外ユニット（20）へ供給するために該補助用圧縮機（54）を運転するように構成されるものである。
【００１３】
第１の発明の暖房用補助ユニット（50）が設けられた空気調和装置（10）は、除霜動作を行う。この空気調和装置（10）では、暖房運転中に室外ユニット（20）の室外熱交換器（24）に霜が付着する場合があり、室外熱交換器（24）に付着した霜を融かすために除霜動作が行われる。除霜動作中の室外ユニット（20）では、高温高圧のガス冷媒が室外熱交換器（24）へ供給され、室外熱交換器（24）に付着した霜がガス冷媒によって加熱されて融解する。
【００１４】
ところで、暖房運転中の暖房用補助ユニット（50）では、膨張機構（53）を通過して冷媒熱交換器（60）で吸熱した冷媒が気液分離器（65）を通って補助用圧縮機（54）へ吸入される。このため、暖房運転中の暖房用補助ユニット（50）において、気液分離器（65）を通過する冷媒の温度は、それ程低くない。従って、気液分離器（65）に液冷媒が溜まっている場合は、その液冷媒の温度もそれ程低くならない。
【００１５】
一方、第１の発明の暖房用補助ユニット（50）では、空気調和装置（10）の除霜動作中に補助用圧縮機（54）が運転され、室外ユニット（20）から液側連絡配管（16）へ流入した冷媒が気液分離器（65）へ送り込まれる。空気調和装置（10）の除霜動作中に気液分離器（65）へ流入した冷媒は、空気調和装置（10）の暖房運転中に気液分離器（65）に溜まっていた液冷媒によって加熱され、その後に補助用圧縮機（54）で圧縮されてからガス側連絡配管（17）を通じて室外ユニット（20）へ送られる。ガス側連絡配管（17）から室外ユニット（20）へ流入した冷媒は、圧縮された後に室外熱交換器（24）へ供給され、室外熱交換器（24）の除霜に利用される。
【００１６】
第２の発明は、上記第１の発明において、上記補助用圧縮機（54）の吸入側と吐出側を接続するバイパス通路（58）と、上記バイパス通路（58）に設けられて上記補助用圧縮機（54）の吸入側から吐出側へ向かう冷媒の流通だけを許容する逆止弁（59）とを備え、上記室内ユニット（30）で冷却した空気を室内へ供給する上記空気調和装置の冷房運転中に、補助用圧縮機（54）を停止させた状態で上記膨張機構（53）を通過した冷媒を上記冷媒熱交換器（60）へ供給し、該膨張機構（53）を通過した冷媒と上記液側連絡配管（16）を流れる冷媒とを熱交換させるように構成されるものである。
【００１７】
第２の発明では、暖房用補助ユニット（50）にバイパス通路（58）と逆止弁（59）が設けられる。この発明の暖房用補助ユニット（50）では、空気調和装置（10）の冷房運転中においても冷媒が流通する。具体的に、空気調和装置（10）の冷房運転中において、暖房用補助ユニット（50）では、補助用圧縮機（54）が停止している。冷房運転中に室外ユニット（20）から液側連絡配管（16）へ流入した冷媒は、その一部が暖房用補助ユニット（50）へ流入し、膨張機構（53）で減圧されてから冷媒熱交換器（60）へ送られる。冷媒熱交換器（60）では、膨張機構（53）から送り込まれた冷媒が、液側連絡配管（16）を室内ユニット（30）へ向かって流れる冷媒から吸熱して蒸発する。膨張機構（53）と冷媒熱交換器（60）を順に通過した冷媒は、バイパス通路（58）へ流入し、逆止弁（59）を通過してガス側連絡配管（17）へ流入する。また、冷房運転中の室内ユニット（30）へは、冷媒熱交換器（60）で冷却された冷媒が液側連絡配管（16）を通じて供給される。
【００１８】
第３の発明は、空気調和装置を対象とする。そして、室外ユニット（20）と室内ユニット（30）が液側連絡配管（16）及びガス側連絡配管（17）により接続されて冷凍サイクルを行う冷媒回路（15）と、上記冷媒回路（15）に接続された請求項１に記載の暖房用補助ユニットとを備え、上記室内ユニット（30）で加熱した空気を室内へ供給する暖房運転を少なくとも行うものである。
【００１９】
第３の発明の空気調和装置（10）の冷媒回路（15）には、膨張機構（53）と、冷媒熱交換器（60）と、補助用圧縮機（54）とが設けられる。暖房運転中の冷媒回路（15）では、室内ユニット（30）と室外ユニット（20）の間で冷媒が循環する同時に、室内ユニット（30）と冷媒熱交換器（60）の間でも冷媒が循環する。
【００２０】
具体的に、第３の発明の空気調和装置（10）の暖房運転中において、室内ユニット（30）から室外ユニット（20）へ向けて液側連絡配管（16）を流れる冷媒は、その一部が膨張機構（53）へ流入する。膨張機構（53）へ流入した冷媒は、膨張機構（53）を通過する際に減圧された後に冷媒熱交換器（60）へ流入する。冷媒熱交換器（60）では、膨張機構（53）を通過した冷媒が、液側連絡配管（16）内を室外ユニット（20）へ向かって流れる冷媒から吸熱して蒸発する。冷媒熱交換器（60）で蒸発した冷媒は、補助用圧縮機（54）で圧縮された後にガス側連絡配管（17）へ吐出され、室外ユニット（20）からガス側連絡配管（17）へ送り込まれた冷媒と共に室内ユニット（30）へ送られる。暖房運転中の室内ユニット（30）では、送り込まれた冷媒が空気へ放熱する。
【発明の効果】
【００２１】
上記第１の発明の暖房用補助ユニット（50）が設けられた空気調和装置（10）において、暖房運転中の冷媒回路（15）では、室内ユニット（30）と室外ユニット（20）の間だけでなく、室内ユニット（30）と暖房用補助ユニット（50）の間でも冷媒が循環する。そして、暖房用補助ユニット（50）へ流入した冷媒は、冷媒熱交換器（60）において室内ユニット（30）から室外ユニット（20）へ送られる冷媒から吸熱し、その後に補助用圧縮機（54）で圧縮されてから再び室内ユニット（30）へ送られる。
【００２２】
また、上記第３の発明の空気調和装置（10）において、暖房運転中の冷媒回路（15）では、室内ユニット（30）と室外ユニット（20）の間だけでなく、室内ユニット（30）と冷媒熱交換器（60）の間でも冷媒が循環する。そして、膨張機構（53）で減圧されて冷媒熱交換器（60）へ流入した冷媒は、室内ユニット（30）から室外ユニット（20）へ送られる冷媒から吸熱し、その後に補助用圧縮機（54）で圧縮されてから再び室内ユニット（30）へ送られる。
【００２３】
このように、本発明によれば、室内ユニット（30）から室外ユニット（20）へ送り返される冷媒に残存する熱を、冷媒熱交換器（60）から補助用圧縮機（54）へ送られる冷媒に回収することができる。従って、室内ユニット（30）から室外ユニット（20）へ送り返される冷媒から回収した熱を室内ユニット（30）での空気の加熱に利用することができ、室内ユニット（30）の暖房能力を増大させることができる。
【００２４】
更に、上記第１の発明によれば、空気調和装置（10）の冷媒回路（15）に暖房用補助ユニット（50）を接続することで、室外ユニット（20）の構造を変更することなく空気調和装置（10）の暖房能力を向上させることができる。また、上記第３の発明によれば、空気調和装置（10）の冷媒回路（15）に膨張機構（53）と冷媒熱交換器（60）と補助用圧縮機（54）とを設けることで、室外ユニット（20）の構造を変更することなく空気調和装置（10）の暖房能力を向上させることができる。このように、本発明によれば、室外ユニット（20）の構造を変更せずに暖房能力を増大させることができる。従って、本発明によれば、大きな暖房能力が必要な用途向けの空気調和装置を、その設計や製造に要する時間や費用を低く抑えながら実現することが可能となる。
【００２５】
また、上記第１の発明では、暖房用補助ユニット（50）に気液分離器（65）が設けられている。そして、気液分離器（65）に溜まり込む液冷媒の量を変更すれば、冷媒回路（15）内を室内ユニット（30）と室外ユニット（20）の間で循環する冷媒の量が変化する。ところで、冷媒回路（15）内を室内ユニット（30）と室外ユニット（20）の間で循環する冷媒の量の適正値は、冷媒回路（15）で行われる冷凍サイクルの条件によって異なる。例えば、空気調和装置（10）の暖房運転中において、冷媒回路（15）内を室内ユニット（30）と室外ユニット（20）の間で循環する冷媒の量の適正値は、室外ユニット（20）で冷媒と熱交換する冷媒の温度が低くにつれて少なくなる。従って、この発明によれば、暖房用補助ユニット（50）の気液分離器（65）に溜まり込む液冷媒の量を調節することによって、冷媒回路（15）内を室内ユニット（30）と室外ユニット（20）の間で循環する冷媒の量を適正値に保つことが可能となる。
【００２６】
また、上記第１の発明では、空気調和装置（10）の除霜動作中に暖房用補助ユニット（50）の補助用圧縮機（54）が運転される。そして、除霜動作中の室外ユニット（20）から暖房用補助ユニット（50）へ流入した冷媒は、空気調和装置（10）の暖房運転中に気液分離器（65）に溜まった液冷媒によって暖められ、その後に補助用圧縮機（54）で圧縮されてから室外ユニット（20）へ送り返される。このように、この発明の暖房用補助ユニット（50）が設けられた空気調和装置（10）では、暖房運転中に気液分離器（65）に溜まった液冷媒が保有する熱を、室外熱交換器（24）の除霜に利用することができる。従って、この発明によれば、室外熱交換器（24）の除霜に利用できる熱量を増大させることができ、室外熱交換器（24）の除霜に要する時間を短縮することができる。
【００２７】
上記第２の発明では、暖房用補助ユニット（50）にバイパス通路（58）と逆止弁（59）が設けられており、空気調和装置（10）の冷房運転中においても暖房用補助ユニット（50）を冷媒が通過する。そして、冷房運転中の室内ユニット（30）には、暖房用補助ユニット（50）の冷媒熱交換器（60）で冷却された冷媒が液側連絡配管（16）を通じて供給される。従って、この発明によれば、冷房運転中の室内ユニット（30）へ供給される冷媒のエンタルピを引き下げることができ、室内ユニット（30）で得られる冷房能力を向上させることができる。
【発明を実施するための最良の形態】
【００２８】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２９】
《参考技術》
参考技術について説明する。本参考技術は、いわゆるセパレート型の空気調和装置（10）である。
【００３０】
図１，図２に示すように、本参考技術の空気調和装置（10）は、室外ユニット（20）と、室内ユニット（30）と、暖房用補助ユニット（50）とを１台ずつ備えている。室外ユニット（20）及び暖房用補助ユニット（50）は屋外に設置され、室内ユニット（30）は屋内に設置される。なお、ここで示した室外ユニット（20）、室内ユニット（30）、及び暖房用補助ユニット（50）の台数は、何れも単なる一例である。また、暖房用補助ユニット（50）は、屋内に設置されていてもよい。
【００３１】
室外ユニット（20）には、室外回路（21）が収容されている。室内ユニット（30）には、室内回路（31）が収容されている。暖房用補助ユニット（50）には、暖房用補助回路（51）が収容されている。本参考技術の空気調和装置（10）では、室外回路（21）と室内回路（31）と暖房用補助回路（51）とを液側連絡配管（16）及びガス側連絡配管（17）で接続することによって、冷媒回路（15）が形成されている。
【００３２】
室外回路（21）には、主圧縮機（22）と、四方切換弁（23）と、室外熱交換器（24）と、室外膨張弁（25）とが設けられている。この室外回路（21）において、主圧縮機（22）は、その吐出側が四方切換弁（23）の第１のポートに接続され、その吸入側が四方切換弁（23）の第２のポートに接続されている。また、室外熱交換器（24）は、その一端が四方切換弁（23）の第３のポートに接続され、その他端が室外膨張弁（25）を介して液側連絡配管（16）に接続されている。また、四方切換弁（23）は、その第４のポートがガス側連絡配管（17）に接続されている。
【００３３】
室外熱交換器（24）は、冷媒を室外空気と熱交換させるフィン・アンド・チューブ型の熱交換器である。室外ユニット（20）には、室外熱交換器（24）へ室外空気を送るための室外ファン（26）が収容されている。四方切換弁（23）は、第１のポートと第３のポートが連通し且つ第２のポートと第４のポートが連通する第１状態（図１に示す状態）と、第１のポートと第４のポートが連通し且つ第２のポートと第３のポートが連通する第２状態（図２に示す状態）とに切り換え可能に構成されている。室外膨張弁（25）は、いわゆる電子膨張弁である。
【００３４】
室内回路（31）には、室内熱交換器（32）が設けられている。この室内回路（31）は、室内熱交換器（32）の液側に位置する一端が液側連絡配管（16）に接続され、室内熱交換器（32）のガス側に位置する他端がガス側連絡配管（17）に接続されている。室内熱交換器（32）は、冷媒を室内空気と熱交換させるフィン・アンド・チューブ型の熱交換器である。室内ユニット（30）には、室内熱交換器（32）へ室内空気を送るための室内ファン（34）が収容されている。
【００３５】
暖房用補助回路（51）は、主配管部（56）と連絡用配管部（57）とによって構成されている。また、暖房用補助回路（51）には、補助用圧縮機（54）と、冷媒熱交換器（60）と、膨張機構である膨張弁（53）とが１つずつ設けられている。冷媒熱交換器（60）は、いわゆるプレート式熱交換器である。この冷媒熱交換器（60）では、第１通路（61）と第２通路（62）とが複数ずつ形成されており、第１通路（61）を流れる冷媒と第２通路（62）を流れる冷媒との間で熱交換が行われる。暖房用補助回路（51）の膨張弁（53）は、いわゆる電子膨張弁である。
【００３６】
主配管部（56）では、その一端から他端へ向かって順に、膨張弁（53）と、冷媒熱交換器（60）の第２通路（62）と、補助用圧縮機（54）とが配置されている。この主配管部（56）は、膨張弁（53）側の一端が連絡用配管部（57）に接続され、補助用圧縮機（54）側の他端（即ち、補助用圧縮機（54）の吐出側の端部）がガス側連絡配管（17）に接続されている。
【００３７】
連絡用配管部（57）は、室外ユニット（20）と室内ユニット（30）を繋ぐ液側連絡配管（16）の途中に挿入されている。また、連絡用配管部（57）では、主配管部（56）が接続された箇所よりも室外ユニット（20）寄りの部分に、冷媒熱交換器（60）の第１通路（61）が接続されている。
【００３８】
−運転動作−
本参考技術の空気調和装置（10）は、冷房運転と暖房運転を選択的に行う。ここでは、冷房運転中と暖房運転中のそれぞれにおける空気調和装置（10）の動作を説明する。
【００３９】
〈冷房運転〉
冷房運転時の空気調和装置（10）の動作について説明する。図１に示すように、冷房運転時には、主圧縮機（22）が運転され、四方切換弁（23）が第１状態に設定され、室外膨張弁（25）の開度が適宜調節される。また、冷房運転時には、暖房用補助ユニット（50）が休止状態となる。つまり、暖房用補助ユニット（50）では、膨張弁（53）が全閉状態となり、補助用圧縮機（54）が停止状態となる。
【００４０】
冷房運転中の冷媒回路（15）で行われる冷凍サイクルについて説明する。
【００４１】
主圧縮機（22）から吐出された冷媒は、四方切換弁（23）を通って室外熱交換器（24）へ流入し、室外空気へ放熱して凝縮する。室外熱交換器（24）で凝縮した冷媒は、室外膨張弁（25）を通過する際に減圧されて気液二相状態となり、その後に液側連絡配管（16）へ流入する。液側連絡配管（16）へ流入した冷媒は、暖房用補助回路（51）の連絡用配管部（57）を通過後に室内回路（31）へ流入する。
【００４２】
室内回路（31）へ流入した冷媒は、室内熱交換器（32）へ流入し、室内空気から吸熱して蒸発する。室内ユニット（30）は、室内熱交換器（32）を通過する間に冷却された空気を室内へ供給する。室内熱交換器（32）で蒸発した冷媒は、ガス側連絡配管（17）を通って室外回路（21）へ戻り、四方切換弁（23）を通過後に主圧縮機（22）へ吸入される。主圧縮機（22）は、吸入した冷媒を圧縮してから吐出する。
【００４３】
〈暖房運転〉
暖房運転時の空気調和装置（10）の動作について説明する。図２に示すように、暖房運転中には、主圧縮機（22）が運転され、四方切換弁（23）が第２状態に設定され、室外膨張弁（25）の開度が適宜調節される。また、暖房運転中において、暖房用補助ユニット（50）は、暖房負荷の大きい場合（例えば外気温が０℃未満の場合）に運転され、暖房負荷の小さい場合（例えば外気温が０℃以上の場合）に休止する。運転中の暖房用補助ユニット（50）では、補助用圧縮機（54）が運転され、膨張弁（53）の開度が適宜調節される。
【００４４】
暖房運転中の冷媒回路（15）で行われる冷凍サイクルについて、図３を参照しながら説明する。ここでは、暖房用補助ユニット（50）が運転されている場合の冷凍サイクルについて説明する。暖房用補助ユニット（50）が運転されている場合、暖房運転中の冷媒回路（15）では、室外ユニット（20）と室内ユニット（30）の間で冷媒が循環すると共に、暖房用補助ユニット（50）と室内ユニット（30）の間でも冷媒が循環する。
【００４５】
主圧縮機（22）は、点Ａの状態のガス冷媒を吸入して圧縮する。主圧縮機（22）で圧縮されて点Ｂの状態となった冷媒は、四方切換弁（23）を通過後にガス側連絡配管（17）へ流入し、室内回路（31）へ向かって流れる。一方、補助用圧縮機（54）は、点Ｇの状態のガス冷媒を吸入して圧縮する。補助用圧縮機（54）で圧縮されて点Ｈの状態となった冷媒は、ガス側連絡配管（17）へ流入し、主圧縮機（22）から吐出された冷媒と合流する。主圧縮機（22）から吐出された冷媒と補助用圧縮機（54）から吐出された冷媒は、ガス側連絡配管（17）内で合流した後に室内回路（31）へ流入する。
【００４６】
室内回路（31）へ流入した冷媒は、室内熱交換器（32）へ流入する。室内熱交換器（32）へ流入した冷媒は、室内ファン（34）によって送られた室内空気へ放熱して凝縮し、点Ｃの状態の液冷媒となる。室内熱交換器（32）から流出した冷媒は、液側連絡配管（16）へ流入する暖房運転中の室内ユニット（30）は、室内熱交換器（32）で加熱された室内空気を室内へ吹き出す。
【００４７】
室内回路（31）から液側連絡配管（16）へ流入した冷媒は、暖房用補助回路（51）の連絡用配管部（57）へ流入する。その後、冷媒は、その一部が主配管部（56）へ流入し、残りが冷媒熱交換器（60）の第１通路（61）へ流入する。
【００４８】
冷媒熱交換器（60）の第１通路（61）へ流入した冷媒は、その第２通路（62）を流れる冷媒へ放熱して点Ｄの状態となる。冷媒熱交換器（60）の第１通路（61）から流出した冷媒は、再び液側連絡配管（16）を通って室外回路（21）へ流入する。室外回路（21）へ流入した冷媒は、室外膨張弁（25）を通過する際に減圧されて点Ｅの状態となり、その後に室外熱交換器（24）へ流入する。室外熱交換器（24）へ流入した冷媒は、室外ファン（26）によって供給された室外空気と熱交換して蒸発し、点Ａの状態のガス冷媒となる。室外熱交換器（24）から流出した冷媒は、四方切換弁（23）を通過後に主圧縮機（22）へ吸入されて圧縮される。
【００４９】
一方、主配管部（56）へ流入した冷媒は、膨張弁（53）で減圧されて点Ｆの状態となり、その後に冷媒熱交換器（60）の第２通路（62）へ流入する。冷媒熱交換器（60）の第２通路（62）へ流入した冷媒は、その第１通路（61）を流れる冷媒から吸熱して蒸発し、点Ｇの状態のガス冷媒となる。冷媒熱交換器（60）の第２通路（62）から流出した冷媒は、補助用圧縮機（54）へ吸入されて圧縮される。
【００５０】
暖房運転中の暖房用補助ユニット（50）において、補助用圧縮機（54）の容量や膨張弁（53）の開度は、次のように制御される。暖房運転中の暖房用補助ユニット（50）は、補助用圧縮機（54）の容量の目標値を外気温と主圧縮機（22）の容量とに基づいて設定し、補助用圧縮機（54）の容量が設定した目標値となるように、補助用圧縮機（54）の電動機へ供給される交流の周波数を調節する。また、暖房運転中の暖房用補助ユニット（50）は、冷媒熱交換器（60）の第２通路（62）の出口における冷媒の過熱度が所定の目標値（例えば２℃）となるように、膨張弁（53）の開度を調節する。
【００５１】
なお、暖房用補助ユニット（50）が休止している場合には、暖房運転中の冷媒回路（15）においても、室外ユニット（20）と室内ユニット（30）の間だけで冷媒が循環する。つまり、室外ユニット（20）の主圧縮機（22）から吐出された冷媒だけが室内ユニット（30）へ送られ、室内ユニット（30）の室内熱交換器（32）で凝縮した冷媒が室外ユニット（20）へ送り返される。
【００５２】
−参考技術の効果−
本参考技術の空気調和装置（10）において、暖房運転中の冷媒回路（15）では、室内ユニット（30）と室外ユニット（20）の間だけでなく、室内ユニット（30）と暖房用補助ユニット（50）の間でも冷媒が循環する。そして、暖房用補助ユニット（50）へ流入した冷媒は、冷媒熱交換器（60）において室内ユニット（30）から室外ユニット（20）へ送られる冷媒から吸熱し、その後に補助用圧縮機（54）で圧縮されてから再び室内ユニット（30）へ送られる。
【００５３】
このように、本参考技術によれば、室内ユニット（30）から室外ユニット（20）へ送り返される冷媒に残存する熱を、冷媒熱交換器（60）から補助用圧縮機（54）へ送られる冷媒に回収することができる。従って、室内ユニット（30）から室外ユニット（20）へ送り返される冷媒から回収した熱を室内ユニット（30）での空気の加熱に利用することができ、室内ユニット（30）の暖房能力を増大させることができる。
【００５４】
更に、暖房運転時に室外膨張弁（25）流入する冷媒のエンタルピは、暖房用補助ユニット（50）が設けられていない場合は図３の点Ｃにおける値であるのに対し、本参考技術の空気調和装置（10）では同図の点Ｄにおける値となる。このため、暖房運転中に蒸発器となる室外熱交換器（24）へ流入する冷媒のエンタルピを引き下げることができる。従って、本参考技術によれば、暖房運転中の室外熱交換器（24）で冷媒が室外空気から吸熱する熱量を増大させることができ、これによっても室内ユニット（30）の暖房能力を増大させることができる。
【００５５】
また、本参考技術によれば、室外ユニット（20）の構造を変更することなく、冷媒回路（15）に暖房用補助ユニット（50）を接続するだけで空気調和装置（10）の暖房能力を向上させることができる。従って、本参考技術によれば、大きな暖房能力が必要な用途向け（例えば寒冷地向け）の空気調和装置（10）を、その設計や製造に要する時間や費用を低く抑えながら実現することが可能となる。
【００５６】
《発明の実施形態》
本発明の実施形態について説明する。本実施形態は、上記参考技術の空気調和装置（10）において、暖房用補助ユニット（50）の構成を変更したものである。ここでは、本実施形態の暖房用補助ユニット（50）について、上記参考技術と異なる点を説明する。
【００５７】
図４〜図６の各図に示すように、本実施形態の暖房用補助ユニット（50）には、気液分離器（65）が設けられている。気液分離器（65）は、概ね円筒形の密閉容器状に形成されている。また、気液分離器（65）には、流入管（66）と流出管（67）とが設けられている。流入管（66）と流出管（67）は、何れも気液分離器（65）の頂部を貫通している。気液分離器（65）の内部空間では、その底部付近に流入管（66）の下端が開口し、その上端部付近に流出管（67）の下端が開口している。気液分離器（65）は、流入管（66）を通って流入した冷媒を液冷媒とガス冷媒に分離し、ガス冷媒だけを流出管（67）から送り出すように構成されている。
【００５８】
気液分離器（65）は、暖房用補助回路（51）の主配管部（56）に接続されている。具体的に、気液分離器（65）は、主配管部（56）における冷媒熱交換器（60）と補助用圧縮機（54）の間に配置されている。この気液分離器（65）は、その流入管（66）が冷媒熱交換器（60）の第２通路（62）に接続され、その流出管（67）が補助用圧縮機（54）の吸入側に接続されている。
【００５９】
−運転動作−
本実施形態の空気調和装置（10）は、上記参考技術と同様に、冷房運転と暖房運転を選択的に行う。冷房運転中には、暖房用補助ユニット（50）が上記参考技術の場合と同様に休止し、冷媒回路（15）で上記参考技術の場合と同様に冷媒が循環する（図４を参照）。ここでは、暖房運転中における空気調和装置（10）の動作を説明する。
【００６０】
〈暖房運転〉
本実施形態の空気調和装置（10）では、上記参考技術の場合と同様に、暖房負荷の大きい場合に暖房用補助ユニット（50）が運転され、暖房負荷の小さい場合に暖房用補助ユニット（50）が休止する。以下の説明では、暖房用補助ユニット（50）が運転される暖房運転を「高負荷時暖房運転」といい、暖房用補助ユニット（50）が休止する暖房運転を「低負荷時暖房運転」という。
【００６１】
高負荷時暖房運転中の冷媒回路（15）では、上記参考技術の場合と同様に冷媒が循環して冷凍サイクルが行われる。つまり、冷媒回路（15）では、室外ユニット（20）と室内ユニット（30）の間で冷媒が循環すると共に、暖房用補助ユニット（50）と室内ユニット（30）の間でも冷媒が循環する（図５を参照）。ただし、本実施形態の暖房用補助ユニット（50）の主配管部（56）では、冷媒熱交換器（60）の第２通路（62）から流出した冷媒が気液分離器（65）を通過した後に補助用圧縮機（54）へ吸入される。
【００６２】
また、低負荷時暖房運転中の冷媒回路（15）でも、上記参考技術の場合と同様に冷媒が循環して冷凍サイクルが行われる。つまり、冷媒回路（15）では、室外ユニット（20）と室内ユニット（30）の間でだけ冷媒が循環する。
【００６３】
〈暖房用補助ユニットの冷媒量調節動作〉
本実施形態の暖房用補助ユニット（50）は、冷媒回路（15）において循環する冷媒の量を調節するための冷媒量調節動作を行うように構成されている。この冷媒量調節動作は、高負荷暖房運転中と低負荷暖房運転中の何れにおいても行われる可能性がある。つまり、本実施形態の空気調和装置（10）では、低負荷暖房運転中にも冷媒量調節動作を行うために暖房用補助ユニット（50）が一時的に運転されることがある。
【００６４】
暖房用補助ユニット（50）の冷媒量調節動作について説明する。この冷媒量調節動作は、冷媒回路（15）において循環する冷媒の量がその時点の運転状態に応じた適正値となるように気液分離器（65）における液冷媒の貯留量を調節する動作である。
【００６５】
冷媒量調節動作中の暖房用補助ユニット（50）は、冷媒回路（15）において循環する冷媒の量が適正値かどうかを監視する。
【００６６】
先ず、暖房用補助ユニット（50）は、主圧縮機（22）の吐出圧力（即ち、冷凍サイクルの高圧）が通常よりも高くなっているにも拘わらず主圧縮機（22）へ吸入される冷媒が湿り状態となっている場合に冷媒量が過剰であると判断し、気液分離器（65）における液冷媒の貯留量を増大させるための動作を行う。
【００６７】
具体的に、高負荷時暖房運転中において、暖房用補助ユニット（50）は、膨張弁（53）の開度を強制的に拡大する動作を、気液分離器（65）における液冷媒の貯留量を増大させるための動作として行う。暖房用補助ユニット（50）がこの動作を行うと、連絡用配管部（57）から主配管部（56）へ流入する冷媒の流量が増大し、冷媒熱交換器（60）の第２通路（62）へ流入した冷媒の一部は蒸発せずに液冷媒のまま気液分離器（65）へ流入する。そして、補助用圧縮機（54）は気液分離器（65）からガス冷媒だけを吸い込むため、気液分離器（65）内の液冷媒の量が増加する。
【００６８】
また、低負荷時暖房運転中において、暖房用補助ユニット（50）は、膨張弁（53）の開度を開いて補助用圧縮機（54）を起動する動作を、気液分離器（65）における液冷媒の貯留量を増大させるための動作として行う。暖房用補助ユニット（50）がこの動作を行うと、連絡用配管部（57）から主配管部（56）へ冷媒が流入する。主配管部（56）へ流入する冷媒の流量がある程度以上に達すると、冷媒熱交換器（60）の第２通路（62）へ流入した冷媒の一部は蒸発せずに液冷媒のまま気液分離器（65）へ流入する。そして、補助用圧縮機（54）は気液分離器（65）からガス冷媒だけを吸い込むため、気液分離器（65）内の液冷媒の量が増加する。
【００６９】
次に、暖房用補助ユニット（50）は、室外ユニット（20）が適切な動作を行っているにも拘わらず主圧縮機（22）の吸入圧力（即ち、冷凍サイクルの低圧）が低くなり過ぎたり主圧縮機（22）の吸入冷媒の過熱度が大きくなり過ぎる場合に冷媒量が不足していると判断し、気液分離器（65）における液冷媒の貯留量を減少させるための動作を行う。
【００７０】
具体的に、高負荷時暖房運転中において、暖房用補助ユニット（50）は、膨張弁（53）の開度を強制的に縮小する動作を、気液分離器（65）における液冷媒の貯留量を減少させるための動作として行う。暖房用補助ユニット（50）がこの動作を行うと、連絡用配管部（57）から主配管部（56）へ流入する冷媒の流量が減少し、気液分離器（65）へ流入する冷媒の流量も減少する。そして、補助用圧縮機（54）が気液分離器（65）から吸い込む冷媒の流量は変化しないため、気液分離器（65）内の液冷媒の量が減少する。
【００７１】
また、低負荷時暖房運転中において、暖房用補助ユニット（50）は、膨張弁（53）を閉じたまま補助用圧縮機（54）を起動する動作を、気液分離器（65）における液冷媒の貯留量を減少させるための動作として行う。暖房用補助ユニット（50）がこの動作を行うと、補助用圧縮機（54）によって気液分離器（65）からガス冷媒が吸い出されるが、気液分離器（65）へは冷媒が流入しない。このため、気液分離器（65）内の液冷媒の量が減少する。
【００７２】
〈空気調和装置の除霜動作〉
本実施形態の空気調和装置（10）は、暖房運転中に所定の条件（例えば主圧縮機（22）の運転時間の積算値が所定値に達する条件）が成立する毎に除霜動作を行う。ここでは、空気調和装置（10）の除霜動作について、図６を参照しながら説明する。
【００７３】
除霜動作時の室外ユニット（20）では、主圧縮機（22）が運転され、四方切換弁（23）が第１状態（図６に示す状態）に設定され、室外膨張弁（25）の開度が適宜調節される。また、除霜動作時の暖房用補助ユニット（50）では、補助用圧縮機（54）が運転され、膨張弁（53）が全開状態に設定される。
【００７４】
除霜動作時の冷媒回路（15）において、主圧縮機（22）から吐出された高温高圧の冷媒は、四方切換弁（23）を通って室外熱交換器（24）へ送られる。室外熱交換器（24）では、その表面に付着した霜が供給された冷媒によって暖められて融解する。室外熱交換器（24）から流出した冷媒は、液側連絡配管（16）を通って暖房用補助回路（51）の連絡用配管部（57）へ流入する。除霜動作時には補助用圧縮機（54）が運転されているため、連絡用配管部（57）へ流入した冷媒は、その殆ど全てが主配管部（56）へ流入する。主配管部（56）へ流入した冷媒は、膨張弁（53）と冷媒熱交換器（60）の第２通路（62）を順に通過し、その後に気液分離器（65）へ流入する。
【００７５】
気液分離器（65）には、液冷媒が貯留されている。また、暖房運転中には例えば１０℃程度の中間圧の冷媒が気液分離器（65）を通過するため、気液分離器（65）内に溜まった液冷媒の温度は、暖房運転中に気液分離器（65）を通過する冷媒の温度と同等となっている。このため、除霜動作中に気液分離器（65）へ流入した冷媒は、気液分離器（65）内に溜まった冷媒によって暖められる。そして、補助用圧縮機（54）は、気液分離器（65）から吸い込んだ冷媒を圧縮し、ガス側連絡配管（17）へ向けて吐出する。補助用圧縮機（54）からガス側連絡配管（17）へ吐出された冷媒は、室外回路（21）へ流入し、その後に主圧縮機（22）へ吸入されて圧縮される。
【００７６】
−実施形態の効果−
本実施形態では、暖房用補助ユニット（50）に気液分離器（65）が設けられている。そして、暖房用補助ユニット（50）が冷媒量調節動作を行うことによって気液分離器（65）に溜まり込む液冷媒の量を調整すると、それに伴って冷媒回路（15）内を室内ユニット（30）と室外ユニット（20）の間で循環する冷媒の量が変化する。
【００７７】
ところで、冷媒回路（15）内を室内ユニット（30）と室外ユニット（20）の間で循環する冷媒の量の適正値は、冷媒回路（15）で行われる冷凍サイクルの条件によって異なる。例えば、空気調和装置（10）の暖房運転中において、冷媒回路（15）内を室内ユニット（30）と室外ユニット（20）の間で循環する冷媒の量の適正値は、室外ユニット（20）で冷媒と熱交換する冷媒の温度が低くにつれて少なくなる。従って、本実施形態によれば、暖房用補助ユニット（50）の気液分離器（65）に溜まり込む液冷媒の量を調節することによって、冷媒回路（15）内を室内ユニット（30）と室外ユニット（20）の間で循環する冷媒の量を適正値に保つことが可能となる。
【００７８】
また、本実施形態の空気調和装置（10）では、除霜動作中に暖房用補助ユニット（50）の補助用圧縮機（54）が運転される。そして、除霜動作中の室外ユニット（20）から暖房用補助ユニット（50）へ流入した冷媒は、気液分離器（65）に溜まった液冷媒によって暖められ、その後に補助用圧縮機（54）で圧縮されてから室外ユニット（20）へ送り返される。
【００７９】
このように、本実施形態の空気調和装置（10）では、気液分離器（65）に溜まっている液冷媒が保有する熱を、室外熱交換器（24）の除霜に利用することができる。また、この空気調和装置（10）では、補助用圧縮機（54）が冷媒を圧縮する際に冷媒に付与される熱も、室外熱交換器（24）の除霜に利用することができる。従って、本実施形態によれば、室外熱交換器（24）の除霜に利用できる熱量を増大させることができ、室外熱交換器（24）の除霜に要する時間を短縮することができる。
【００８０】
また、本実施形態の空気調和装置（10）では、除霜動作中に暖房用補助ユニット（50）の補助用圧縮機（54）が運転される。このため、除霜動作中において、室外ユニット（20）から液側連絡配管（16）へ送り出された冷媒は、そのほぼ全量が暖房用補助回路（51）の主配管部（56）へ流入する。つまり、除霜動作中において、室外ユニット（20）から流出した低温の冷媒は、室内ユニット（30）の室内熱交換器（32）へ殆ど流入しない。従って、本実施形態によれば、除霜動作中に室内熱交換器（32）へ低温の冷媒が流入するのを実質的に防ぐことができ、室内熱交換器（32）で冷やされた空気が室内に流れ込んで在室者に不快感を与えるといった事態を回避できる。
【００８１】
《その他の実施形態》
上記の参考技術および実施形態では、暖房用補助ユニット（50）の暖房用補助回路（51）にバイパス通路を形成するバイパス管（58）を設けてもよい。ここでは、上記実施形態の空気調和装置（10）にバイパス管（58）を設けたものについて説明する。
【００８２】
図７に示すように、バイパス管（58）は、暖房用補助回路（51）の主配管部（56）に設けられている。主配管部（56）において、バイパス管（58）は、補助用圧縮機（54）の吸入側と吐出側を接続している。具体的に、バイパス管（58）は、その一端が補助用圧縮機（54）と気液分離器（65）の間に接続され、その他端が補助用圧縮機（54）とガス側連絡配管（17）の間に接続されている。バイパス管（58）には、逆止弁（59）が設けられている。この逆止弁（59）は、バイパス管（58）の一端から他端へ向かう冷媒の流通を許容し、その逆向きの冷媒の流通を阻止するように構成されている。つまり、補助用圧縮機（54）の運転中はバイパス管（58）の一端側に比べて他端側が高圧となるため、逆止弁（59）は閉鎖状態となる。
【００８３】
本変形例の暖房用補助ユニット（50）は、空気調和装置（10）の冷房運転中に、液側連絡配管（16）を流れる冷媒を冷却するための動作を行う。ここでは、本変形例の暖房用補助ユニット（50）が設けられた空気調和装置（10）が冷房運転中に行う冷凍サイクルについて、図８を参照しながら説明する。
【００８４】
主圧縮機（22）は、点Ｉの状態のガス冷媒を吸入して圧縮する。主圧縮機（22）で圧縮されて点Ｊの状態となった冷媒は、四方切換弁（23）を通って室外熱交換器（24）へ送られる。室外熱交換器（24）へ流入した冷媒は、室外空気へ放熱して点Ｋの状態の液冷媒となる。室外熱交換器（24）から流出した冷媒は、室外膨張弁（25）を通過する際に減圧されて点Ｌの状態となる。
【００８５】
室外膨張弁（25）を通過した冷媒は、液側連絡配管（16）を通って冷媒熱交換器（60）の第１通路（61）へ流入する。冷媒熱交換器（60）の第１通路（61）へ流入した冷媒は、その第２通路（62）を流れる冷媒によって冷却されて点Ｍの状態となる。冷媒熱交換器（60）の第１通路（61）を通過した冷媒は、その一部が暖房用補助回路（51）へ流入し、残りが室内回路（31）へ流入する。
【００８６】
暖房用補助回路（51）へ流入した冷媒は、膨張弁（53）を通過する際に減圧され、点Ｎの状態の気液二相冷媒となる。膨張弁（53）を通過した冷媒は、冷媒熱交換器（60）の第２通路（62）へ流入し、その第１通路（61）を流れる冷媒から吸熱して蒸発する。冷媒熱交換器（60）の第２通路（62）を通過した冷媒は、バイパス管（58）を通って、ガス側連絡配管（17）へ流入する。
【００８７】
室内回路（31）へ流入した冷媒は、室内熱交換器（32）へ送られる。室内熱交換器（32）へ流入した冷媒は、室内空気から吸熱して蒸発する。室内熱交換器（32）を通過する間において、冷媒の圧力は、室内熱交換器（32）の伝熱管を通過する際の流通抵抗によって次第に低下してゆく。室内熱交換器（32）を通過した冷媒は、室内回路（31）からガス側連絡配管（17）へと流入する。
【００８８】
ガス側連絡配管（17）では、室内回路（31）から流入した冷媒と暖房用補助回路（51）から流入した冷媒とが合流する。ガス側連絡配管（17）を流れる冷媒は、室外回路（21）へ流入し、四方切換弁（23）を通過後に主圧縮機（22）へ吸入される。
【００８９】
本変形例の暖房用補助ユニット（50）には、バイパス通路と逆止弁（59）が設けられている。そして、空気調和装置（10）の冷房運転中には、暖房用補助ユニット（50）の冷媒熱交換器（60）で冷却された冷媒が液側連絡配管（16）を通じて室内ユニット（30）へ供給される。従って、本変形例によれば、冷房運転中の室内ユニット（30）へ供給される冷媒のエンタルピを引き下げることができ、室内ユニット（30）で得られる冷房能力を増大させることができる。
【００９０】
また、上記の参考技術および実施形態では、室外回路（21）と暖房用補助回路（51）とを１つのケーシングに収容して１つのユニットを形成してもよい。つまり、室外ユニット（20）と暖房用補助ユニット（50）を一体化してもよい。この場合も、室外回路（21）の構成は一般的な単段圧縮冷凍サイクルを行うものと同様であるため、大きな暖房能力が求められる用途向けの空気調和装置（10）の設計や製造に要する時間や費用を低く抑えることができる。
【産業上の利用可能性】
【００９１】
以上説明したように、本発明は、冷凍サイクルを行う空気調和装置について有用である。
【図面の簡単な説明】
【００９２】
【図１】参考技術の空気調和装置の概略構成と冷房運転中における冷媒の流れを示すを示す冷媒回路図である。
【図２】参考技術の空気調和装置の概略構成と暖房運転中における冷媒の流れを示すを示す冷媒回路図である。
【図３】参考技術の空気調和装置の冷媒回路において暖房運転中に行われる冷凍サイクルを示す圧力−エンタルピ線図（モリエル線図）である。
【図４】実施形態の空気調和装置の概略構成と冷房運転中における冷媒の流れを示すを示す冷媒回路図である。
【図５】実施形態の空気調和装置の概略構成と暖房運転中における冷媒の流れを示すを示す冷媒回路図である。
【図６】実施形態の空気調和装置の概略構成と除霜動作中における冷媒の流れを示すを示す冷媒回路図である。
【図７】その他の実施形態の空気調和装置の概略構成と冷房運転中における冷媒の流れを示すを示す冷媒回路図である。
【図８】その他の実施形態の空気調和装置の冷媒回路において冷房運転中に行われる冷凍サイクルを示す圧力−エンタルピ線図（モリエル線図）である。
【符号の説明】
【００９３】
10    空気調和装置
15    冷媒回路
16    液側連絡配管
17    ガス側連絡配管
20    室外ユニット
30    室内ユニット
50    暖房用補助ユニット
53    膨張弁（膨張機構）
54    補助用圧縮機
58    バイパス管（バイパス通路）
59    逆止弁
60    冷媒熱交換器
65    気液分離器
【図１】
0005163161.tif 000002
【図２】
0005163161.tif 000003
【図３】
0005163161.tif 000004
【図４】
0005163161.tif 000005
【図５】
0005163161.tif 000006
【図６】
0005163161.tif 000007
【図７】
0005163161.tif 000008
【図８】
0005163161.tif 000009